(57)【要約】【課題】ＩＰ網に接続されているネットワークファクシミリ装置と、公衆網に接続されているＧ３／Ｇ４ファクシミリ装置との間の通信を可能とする通信システムを提供することを目的としている。【解決手段】Ｄ−ＳＭＴＰ方式通信機能を拡張した拡張Ｄ−ＳＭＴＰ方式通信機能を利用することで、インターネットＩＮＥＴに接続されているネットワークファクシミリ装置ＦＸから、アナログ公衆網ＰＳＴＮに接続されているグループ３ファクシミリ装置ＧＸへ、画情報を送信することができるので、非常に便利である。【選択図】        図１
2004172938.tif 000002
【特許請求の範囲】
【請求項１】
ＩＰ網に接続するＩＰ網接続手段と、
公衆網に接続する公衆網接続手段と、
ＩＰ網に接続されたネットワークファクシミリ装置と、公衆網に接続されたファクシミリ装置との間のファクシミリ通信を電子メールプロトコルを使用してリアルタイム的に行うプロトコル変換手段と、
通信相手端末の使用可能な通信モードを判別して、その判別した通信モードの通信動作を行う通信制御手段を備えたことを特徴とするネットワークゲートウェイ装置。
【請求項２】
ＩＰ網に接続するＩＰ網接続手段と、
公衆網に接続する公衆網接続手段と、
ＩＰ網に接続されたネットワークファクシミリ装置と、公衆網に接続されたファクシミリ装置との間のファクシミリ通信を電子メールプロトコルを使用してリアルタイム的に行うプロトコル変換手段と、
通信相手端末が、拡張Ｄ−ＳＭＴＰ通信モード、Ｄ−ＳＭＴＰ通信モード、あるいは、電子メール通信モードのいずれの通信モードを使用可能であるかを判別して、その判別した通信モードの通信動作を行う通信制御手段を備えたことを特徴とするネットワークゲートウェイ装置。
【請求項３】
ＩＰ網に接続するＩＰ網接続手段と、
公衆網に接続する公衆網接続手段と、
ＩＰ網に接続されたネットワークファクシミリ装置と、公衆網に接続されたファクシミリ装置との間のファクシミリ通信を電子メールプロトコルを使用してリアルタイム的に行うプロトコル変換手段と、
通信相手端末が拡張Ｄ−ＳＭＴＰ通信モードを使用可能であるかを判別し、使用可能でない場合には通信動作をエラー終了する一方、使用可能である場合には拡張Ｄ−ＳＭＴＰ通信モードの通信動作を行う通信制御手段を備えたことを特徴とするネットワークゲートウェイ装置。
【請求項４】
ＩＰ網に接続するＩＰ網接続手段と、
公衆網に接続する公衆網接続手段と、
ＩＰ網に接続されたネットワークファクシミリ装置と、公衆網に接続されたファクシミリ装置との間のファクシミリ通信を電子メールプロトコルを使用してリアルタイム的に行うプロトコル変換手段と、
ユーザ設定により使用可能な通信モードを記憶したユーザ設定情報記憶手段と、
通信相手端末が拡張Ｄ−ＳＭＴＰ通信モードを使用可能であるかを判別し、使用可能である場合には拡張Ｄ−ＳＭＴＰ通信モードの通信動作を行う一方、使用可能でない場合には、上記ユーザ設定情報記憶手段に使用可能な通信モードとして記憶されている通信モードであるかどうかを調べ、使用可能な通信モードとして記憶されているときには、その通信モードの通信動作を行う通信制御手段を備えたことを特徴とするネットワークゲートウェイ装置。
【請求項５】
通信結果をユーザへ通知する通信結果通知手段をさらに備えたことを特徴とする請求項１または請求項２または請求項３または請求項４記載のネットワークゲートウェイ装置。
【発明の詳細な説明】
【０００１】
【発明の属する技術分野】
本発明は、ＩＰ網に接続するＩＰ網接続手段と、公衆網に接続する公衆網接続手段を備えたネットワークゲートウェイ装置に関する。
【０００２】
【従来の技術】
近年ではＩＴＵ−Ｔ勧告Ｔ．３７の制定により、ファクシミリ画情報を、インターネットで一般的にやり取りされる電子メール形式に変換し送受信するインターネット対応型ファクシミリ装置が普及し始めている。
【０００３】
この勧告Ｔ．３７通信機能と互換性のある通信方式としては、例えば、インターネット上でやりとりする電子メールを用いて、ファクシミリ画情報を通信する電子メール型インターネットファクシミリ通信システムが、ＲＦＣ（Ｒｅｑｕｅｓｔ  Ｆｏｒ  Ｃｏｍｍｅｎｔｓ）２３０１〜２３０６により規定されている。ここで、ＲＦＣとは、インターネット上での通信アプリケーション等が参照すべき技術についての文献であり、ＩＥＴＦ（Ｉｎｔｅｒｎｅｔ  Ｅｎｇｉｎｅｅｒｉｎｇ  Ｔａｓｋ  Ｆｏｒｃｅ；インターネットに関する技術内容をまとめている組織）から発行されている。
【０００４】
また、１９９９年４月にはＩＰ網を含むパケット網上でパケット化したＴ．３０信号をやり取りするためのＩＴＵ−Ｔ勧告Ｔ．３８が制定された。このＴ．３８通信技術を利用することで、端末間の（ＦＡＸに関する）能力交換および通信のリアルタイム性が保証される。
【０００５】
さらに、近年ではＩＥＴＦで、電子メールの送受信に用いられるプロトコルであるＳＭＴＰ（Ｓｉｍｐｌｅ  Ｍａｉｌ  Ｔｒａｎｓｆｅｒ  Ｐｒｏｔｏｃｏｌ）プロトコルを用いて、直接相手ネットワークファクスと能力交換を行う通信方式（通称「ＤｉｒｅｃｔＳＭＴＰ」、以下、「Ｄ−ＳＭＴＰ」という）のドラフトが公開されている（非特許文献１参照）。
【０００６】
【非特許文献１】
Ｋ．  Ｔｏｙｏｄａ，  Ｄ．  Ｃｒｏｃｋｅｒ、  ”ＳＭＴＰ  Ｓｅｒｖｉｃｅ  Ｅｘｔｅｎｓｉｏｎ  ｆｏｒ  Ｃｏｎｔｅｎｔ  Ｎｅｇｏｔｉａｔｉｏｎ”、［ｏｎｌｉｎｅ］、［２００２年１１月１９日検索］、インターネット＜ＵＲＬ：ｈｔｔｐ：／／ｗｗｗ．ｉｅｔｆ．ｏｒｇ／ｉｎｔｅｒｎｅｔ−ｄｒａｆｔｓ／ｄｒａｆｔ−ｉｅｔｆ−ｆａｘ−ｅｓｍｔｐ−ｃｏｎｎｅｇ−０３．ｔｘｔ＞
【０００７】
【発明が解決しようとする課題】
ところで、勧告Ｔ．３７通信方式では、ファクシミリ画情報をメールサーバに蓄積し、転送すると言う方式を取っているために、通信の最中に能力交換が出来ないこと、通信の即時性がないという不具合があった。
【０００８】
その課題を克服するために、制定された勧告Ｔ．３８通信方式ではエンド・ツー・エンドで完全な能力交換を行うことが可能になり、このため公衆網上に位置する従来型Ｇ３ファクシミリ装置とのリアルタイム通信も可能となったが、パケット符号化が複雑であるがゆえに実装が難しく、また既に普及しているＴ．３７端末（勧告Ｔ．３７通信機能を備えた通信端末、以下同じ）との互換性が全くないという欠点があった。
【０００９】
Ｄ−ＳＭＴＰ方式は、このような課題に対する解決策として提案されたものである。しかしながら、このＤ−ＳＭＴＰ方式は、インターネット等のＩＰ網に接続されているネットワークファクシミリ装置間の通信について規定しているのみであり、したがって、公衆回線網に接続されている従来型ファクシミリ（Ｇ３／Ｇ４ファクシミリ）装置との通信については考慮されていない。
【００１０】
本発明は、かかる実情に鑑みてなされたものであり、ＩＰ網に接続されているネットワークファクシミリ装置と、公衆網に接続されているＧ３／Ｇ４ファクシミリ装置との間の通信を可能とするネットワークゲートウェイ装置を提供することを目的としている。
【００１１】
【課題を解決するための手段】
本発明は、ＩＰ網に接続するＩＰ網接続手段と、公衆網に接続する公衆網接続手段と、ＩＰ網に接続されたネットワークファクシミリ装置と、公衆網に接続されたファクシミリ装置との間のファクシミリ通信を電子メールプロトコルを使用してリアルタイム的に行うプロトコル変換手段と、通信相手端末の使用可能な通信モードを判別して、その判別した通信モードの通信動作を行う通信制御手段を備えたものである。
【００１２】
また、ＩＰ網に接続するＩＰ網接続手段と、公衆網に接続する公衆網接続手段と、ＩＰ網に接続されたネットワークファクシミリ装置と、公衆網に接続されたファクシミリ装置との間のファクシミリ通信を電子メールプロトコルを使用してリアルタイム的に行うプロトコル変換手段と、通信相手端末が、拡張Ｄ−ＳＭＴＰ通信モード、Ｄ−ＳＭＴＰ通信モード、あるいは、電子メール通信モードのいずれの通信モードを使用可能であるかを判別して、その判別した通信モードの通信動作を行う通信制御手段を備えたものである。
【００１３】
また、ＩＰ網に接続するＩＰ網接続手段と、公衆網に接続する公衆網接続手段と、ＩＰ網に接続されたネットワークファクシミリ装置と、公衆網に接続されたファクシミリ装置との間のファクシミリ通信を電子メールプロトコルを使用してリアルタイム的に行うプロトコル変換手段と、通信相手端末が拡張Ｄ−ＳＭＴＰ通信モードを使用可能であるかを判別し、使用可能でない場合には通信動作をエラー終了する一方、使用可能である場合には拡張Ｄ−ＳＭＴＰ通信モードの通信動作を行う通信制御手段を備えたものである。
【００１４】
また、ＩＰ網に接続するＩＰ網接続手段と、公衆網に接続する公衆網接続手段と、ＩＰ網に接続されたネットワークファクシミリ装置と、公衆網に接続されたファクシミリ装置との間のファクシミリ通信を電子メールプロトコルを使用してリアルタイム的に行うプロトコル変換手段と、ユーザ設定により使用可能な通信モードを記憶したユーザ設定情報記憶手段と、通信相手端末が拡張Ｄ−ＳＭＴＰ通信モードを使用可能であるかを判別し、使用可能である場合には拡張Ｄ−ＳＭＴＰ通信モードの通信動作を行う一方、使用可能でない場合には、上記ユーザ設定情報記憶手段に使用可能な通信モードとして記憶されている通信モードであるかどうかを調べ、使用可能な通信モードとして記憶されているときには、その通信モードの通信動作を行う通信制御手段を備えたものである。
【００１５】
また、通信結果をユーザへ通知する通信結果通知手段をさらに備えたものである。
【００１６】
【発明の実施の形態】
以下、添付図面を参照しながら、本発明の実施の形態を詳細に説明する。
【００１７】
図１は、本発明の一実施例にかかる通信システムを示している。
【００１８】
同図において、ＩＰ網としてのインターネットＩＮＥＴには、ゲートウェイ装置ＧＷ１，ＧＷ２、ネットワークファクシミリ装置ＦＸ、および、ＳＭＴＰサーバ装置ＭＳ（ＳＭＴＰサーバ機能を備えたネットワークファクシミリ装置（Ｔ．３７端末）を含む）が接続され、アナログ公衆網ＰＳＴＮ１，ＰＳＴＮ２には、グループ３ファクシミリ装置ＧＸ１，ＧＸ２がそれぞれ接続されている。
【００１９】
また、ゲートウェイ装置ＧＷ１は、インターネットＩＮＥＴの他のゲートウェイ装置ＧＷ２と、アナログ公衆網ＰＳＴＮ１のグループ３ファクシミリ装置ＧＸ１との間を接続して、相互通信を可能にする機能（拡張Ｄ−ＳＭＴＰ方式ゲートウェイ機能（後述））を備え、ゲートウェイ装置ＧＷ２は、インターネットＩＮＥＴの他のゲートウェイ装置ＧＷ１と、アナログ公衆網ＰＳＴＮ２のグループ３ファクシミリ装置ＧＸ２との間を接続して、相互通信を可能にする機能を備えている。
【００２０】
また、グループ３ファクシミリ装置ＧＸ１，ＧＸ２は、通常のグループ３ファクシミリ通信機能と、ゲートウェイ装置ＧＷ１，ＧＷ２を用いて他のグループ３ファクシミリ装置ＧＸ２，ＧＸ１へ発呼する際には、宛先となる他のグループ３ファクシミリ装置ＧＸ２，ＧＸ１を指定する宛先情報をゲートウェイ装置ＧＷ１，ＧＷ２へ通知する宛先通知機能を備えている。
【００２１】
さらに、ゲートウェイ装置ＧＷ１，ＧＷ２は、電子メールを用いてファクシミリ画情報をやりとりするためのＴ．３７通信機能、Ｄ−ＳＭＴＰ方式の通信機能、および、アナログ公衆網ＰＳＴＮのグループ３ファクシミリ装置ＧＸ１，ＧＸ２との間でファクシミリ通信を行う拡張Ｄ−ＳＭＴＰ方式に対応したゲートウェイ機能を備えている。
【００２２】
したがって、本実施例では、グループ３ファクシミリ装置ＧＸ１が、ゲートウェイ装置ＧＷ１とゲートウェイ装置ＧＷ２を介して、グループ３ファクシミリ装置ＧＸ２との間でリアルタイム的に通信動作を行う通信形態（以下、「通信形態１」という）、グループ３ファクシミリ装置ＧＸ１が、ゲートウェイ装置ＧＷ１を介して、ネットワークファクシミリ装置ＦＸとの間でリアルタイム的に通信動作を行う通信形態（以下、「通信形態２」という）、および、グループ３ファクシミリ装置ＧＸ１が、ゲートウェイ装置ＧＷ１を介して、ＳＭＴＰサーバ装置ＭＳへ画情報を送信する通信形態（以下、「通信形態３」という）
【００２３】
図２は、本発明の一実施例にかかるグループ３ファクシミリ装置ＧＸ（ＧＸ１，ＧＸ２）の構成の一例を示している。
【００２４】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００２５】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００２６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２８】
網制御装置１１は、このグループ３ファクシミリ装置をアナログ公衆網ＰＳＴＮに接続するためのものであり、自動発着信機能を備えている。
【００２９】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００３０】
また、網制御装置１１とグループ３ファクシミリモデム１０との間のデータのやりとりは、直接行なわれている。
【００３１】
図３は、ゲートウェイ装置ＧＷ（ＧＷ１，ＧＷ２）の構成例を示している。なお、このゲートウェイ装置ＧＷは、ゲートウェイとして機能するのみならず、ネットワークファクシミリ装置ＦＸあるいはグループ３ファクシミリ装置ＧＸと直接通信する機能も備えている。
【００３２】
同図において、システム制御部２１は、このゲートウェイ装置ＧＷの各部の制御処理、Ｔ．３７通信機能処理、Ｄ−ＳＭＴＰ方式通信機能処理、および、拡張Ｄ−ＳＭＴＰ方式ゲートウェイ機能処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このゲートウェイ装置ＧＷに固有な各種の情報を記憶するためのものであり、時計回路２４は、現在時刻情報を出力するものである。
【００３３】
スキャナ２５は、所定の解像度で原稿画像を読み取るためのものであり、プロッタ２６は、所定の解像度で画像を記録出力するためのものであり、磁気ディスク装置２７は、このゲートウェイ装置ＧＷの他の実行プログラムや、種々のパラメータデータ等を記憶するためのものである。
【００３４】
また、操作表示部２８は、このゲートウェイ装置ＧＷを操作するためのもので、各種の操作キー、および、各種の表示器からなる。
【００３５】
符号化復号化部２９は、画信号を符号化圧縮するとともに、符号化圧縮されている画情報を元の画信号に復号化するためのものであり、画像蓄積装置３０は、符号化圧縮された状態の画情報を多数記憶するためのものである。
【００３６】
グループ３ファクシミリモデム３１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３７】
網制御装置３２は、このゲートウェイ装置ＧＷをアナログ公衆回線網ＰＳＴＮに接続するためのものであり、自動発着信機能を備えている。
【００３８】
インターネットインターフェース回路３３は、このゲートウェイ装置ＧＷをインターネットＩＮＥＴに接続するためのものであり、インターネット伝送制御部３４は、インターネットＩＮＥＴを介して、他の端末装置との間で種々のデータをやりとりするための各種所定のプロトコルスイートの通信制御処理を実行するためのものである。
【００３９】
これらの、システム制御部２１、システムメモリ２２、パラメータメモリ２３、時計回路２４、スキャナ２５、プロッタ２６、磁気ディスク装置２７、操作表示部２８、符号化復号化部２９、画像蓄積装置３０、グループ３ファクシミリモデム３１、網制御装置３２、および、ローカルエリアネットワーク伝送制御部３４は、内部バス３５に接続されており、これらの各要素間でのデータのやりとりは、主としてこの内部バス２５を介して行われている。
【００４０】
また、網制御装置３２とグループ３ファクシミリモデム３１との間のデータのやりとりは、直接行なわれている。
【００４１】
図４は、ネットワークファクシミリ装置ＦＸの構成の一例を示している。
【００４２】
同図において、システム制御部４１は、このネットワークファクシミリ装置ＦＸの各部の制御処理、Ｔ．３７通信機能処理、Ｄ−ＳＭＴＰ方式通信機能処理、および、拡張Ｄ−ＳＭＴＰ方式通信機能処理などの各種制御処理を行うものであり、システムメモリ４２は、システム制御部４１が実行する制御処理プログラム、および、処理プログラムを実行するときに必要な各種データなどを記憶するとともに、システム制御部４１のワークエリアを構成するものであり、パラメータメモリ４３は、このネットワークファクシミリ装置ＦＸに固有な各種の情報を記憶するためのものであり、時計回路４４は、現在時刻情報を出力するものである。
【００４３】
スキャナ４５は、所定の解像度で原稿画像を読み取るためのものであり、プロッタ４６は、所定の解像度で画像を記録出力するためのものであり、操作表示部４７は、このネットワークファクシミリ装置ＦＸを操作するためのもので、各種の操作キー、および、各種の表示器からなる。
【００４４】
符号化復号化部４８は、画信号を符号化圧縮するとともに、符号化圧縮されている画情報を元の画信号に復号化するためのものであり、画像蓄積装置４９は、符号化圧縮された状態の画情報を多数記憶するためのものである。
【００４５】
磁気ディスク装置５０は、このネットワークファクシミリ装置ＦＸの実行プログラムや、種々のパラメータデータ等を記憶するためのものである。
【００４６】
インターネットインターフェース回路５１は、このネットワークファクシミリ装置ＦＸをインターネットＩＮＥＴに接続するためのものであり、インターネット伝送制御部５２は、インターネットＩＮＥＴを介して、他の端末装置との間で種々のデータをやりとりするための各種所定のプロトコルスイートの通信制御処理を実行するためのものである。
【００４７】
これらの、システム制御部４１、システムメモリ４２、パラメータメモリ４３、時計回路４４、スキャナ４５、プロッタ４６、操作表示部４７、符号化復号化部４８、画像蓄積装置４９、磁気ディスク装置５０、および、インターネット伝送制御部５２は、内部バス５３に接続されており、これらの各要素間でのデータのやりとりは、主としてこの内部バス５３を介して行われている。
【００４８】
また、ゲートウェイ装置ＧＷは、グループ３ファクシミリ装置ＧＸから受信した宛先情報を、対応するネットワークファクシミリ装置ＦＸのメールアドレスへ変換するためのアドレス変換テーブルを備えている。
【００４９】
このアドレス変換テーブルは、例えば、図５（ａ）に示すように、複数のアドレス変換情報をまとめたものであり、おのおののアドレス変換情報は、同図（ｂ）に示すように、グループ３ファクシミリ装置ＧＸから通知される宛先情報としての番号（あるいは、サブアドレス）と、当該番号（サブアドレス）に登録されている電子メールアドレスからなる。
【００５０】
例えば、番号「０００１」には、アドレス「ｐｒｉｎｔ＠ｉｆａｘ．ｔｏｋｙｏ．ａｂｃ．ｃｏ．ｊｐ」が、番号「０００２」には、アドレス「ｐｒｉｎｔ＠ｉｆａｘ．ｏｓａｋａ．ａｂｃ．ｃｏ．ｊｐ」が、番号「０００３」には、アドレス「ｐｒｉｎｔ＠１９２．１６８．０．１０」が、番号「０００４」には、アドレス「ｆａｘ＝０１２３４５６７８９＠ｉｆａｘ．ｔｏｋｙｏ．ａｂｃ．ｃｏ．ｊｐ」が登録される。
【００５１】
また、番号の値は、例えば、ワンタッチダイアルの番号であったり、あるいは、いわゆる受信ボックス機能の受信ボックス番号であっても良い。
【００５２】
さて、本実施例における拡張Ｄ−ＳＭＴＰ方式通信機能は、基本的には、Ｄ−ＳＭＴＰ方式通信機能におけるコマンドを利用しており、したがって、拡張Ｄ−ＳＭＴＰ方式通信機能の通信を開始した後に、相手端末が拡張Ｄ−ＳＭＴＰ方式通信機能を備えていないと判定した場合には、その時点から、Ｄ−ＳＭＴＰ方式通信機能の通信へ切り換えたり、さらに、同じく電子メールを用いて画情報を運ぶＴ．３７通信機能の通信へ切換えることもできる。
【００５３】
図６および図７は、ゲートウェイ装置ＧＷ１，ＧＷ２を用いて、グループ３ファクシミリ装置ＧＸ１からグループ３ファクシミリ装置ＧＸ２へ画情報を送信するときの動作（通信形態１）の一例を示している。
【００５４】
まず、グループ３ファクシミリ装置ＧＸ１は、ゲートウェイ装置ＧＷ１へ発呼し、ゲートウェイ装置ＧＷ１が着信応答すると、信号ＲＩＮＧを送出した後に、プッシュボタン信号を用いて、宛先情報を送信する。例えば、番号「０００４」の宛先情報を送信する場合、プッシュボタン信号の番号「０」、番号「０」、番号「０」、番号「４」を連続的にゲートウェイ装置ＧＷ１へ送信する。
【００５５】
一方、ゲートウェイ装置ＧＷ１は、アナログ公衆網ＰＳＴＮ１より発呼されると、着信応答し、信号ＲＩＮＧを受信するかどうかを待つ。そして、信号ＲＩＮＧを受信すると、グループ３ファクシミリ装置ＧＸ１よりプッシュボタン信号を受信し、その受信したプッシュボタン信号により運ばれた番号を認識する。
【００５６】
そして、アドレス変換テーブルを参照して、その認識にした番号に対応した電子メールアドレスを取得する。このとき、受信した番号が、アドレス変換テーブルに登録されていない場合には、このときの通信動作を行うことができないので、その時点でグループ３ファクシミリ装置ＧＸ１との回線を切断復旧する。
【００５７】
また、電子メールアドレスを適切に取得できた場合には、ゲートウェイ装置ＧＷ１は、発呼側のグループ３ファクシミリ装置ＧＸ１に信号ＣＥＤを送出する。また、ゲートウェイ装置ＧＷ１は、ゲートウェイ装置ＧＷ２を指定して、ＳＭＴＰポートオープンを要求する。これに対し、ゲートウェイ装置ＧＷ２は、信号「２２０」をゲートウェイ装置ＧＷ１へ応答する。
【００５８】
次に、ゲートウェイ装置ＧＷ１は、ＥＳＭＴＰの開始コマンドであるコマンドＥＨＬＯをゲートウェイ装置ＧＷ２へ送信する。
【００５９】
コマンドＥＨＬＯを受信したゲートウェイ装置ＧＷ２は、拡張Ｄ−ＳＭＴＰ方式通信機能を備えている旨を通知する信号「２５０−ＦＡＸＧＷ」と、Ｄ−ＳＭＴＰ方式通信機能を備えている旨を通知する信号「２５０  ＣＯＮＮＥＧ」を、ゲートウェイ装置ＧＷへ応答する。
【００６０】
また、それにより、ゲートウェイ装置ＧＷ１は、この場合には、拡張Ｄ−ＳＭＴＰ方式ゲートウェイ機能を用いる旨を決定する（通信形態１）。
【００６１】
これにより、ゲートウェイ装置ＧＷ１は、コマンド「ＭＡＩＬ  ＦＲＯＭ：＜自機メールアドレス＞」をゲートウェイ装置ＧＷ２へ送信し、送信元のメールアドレスを通知する。ここで、ゲートウェイ装置ＧＷ２は、受信したコマンド「ＭＡＩＬ  ＦＲＯＭ」のパラメータである「＜自機メールアドレス＞」を用いて、接続許可を判定することができる。
【００６２】
そして、ゲートウェイ装置ＧＷ２は、そのときの電子メールの受付を許可できる場合には、信号「２５０」をゲートウェイ装置ＧＷ１へ応答する。
【００６３】
次に、ゲートウェイ装置ＧＷ１は、最終宛先（この場合は、グループ３ファクシミリ装置ＧＸ２）を指定するためのコマンド「ＲＣＰＴ  ＴＯ：＜ｆａｘ＝１２３４＠ｄｏｍａｉｎ＞」をゲートウェイ装置ＧＷ２へ送信する。ここで、コマンド「ＲＣＰＴ  ＴＯ」のパラメータは、アドレス変換テーブルを参照して取得した電子メールアドレスを適用する。例えば、宛先番号「０００４」に登録されている電子メールアドレスが「ｆａｘ＝０１２３４５６７８９＠ｉｆａｘ．ｔｏｋｙｏ．ａｂｃ．ｃｏ．ｊｐ」の場合は、その値がセットされる。
【００６４】
これにより、ゲートウェイ装置ＧＷ２は、コマンド「ＲＣＰＴ  ＴＯ：＜ｆａｘ＝１２３４＠ｄｏｍａｉｎ＞」で指定された宛先のグループ３ファクシミリ装置ＧＸ２へ、アナログ公衆網ＰＳＴＮ２を用いて発呼する。
【００６５】
それにより、グループ３ファクシミリ装置ＧＸ２は、着信応答し、所定のグループ３ファクシミリ伝送手順を開始する。したがって、グループ３ファクシミリ装置ＧＸ２は、信号ＣＥＤをゲートウェイ装置ＧＷ２へ応答し、次に、信号ＣＳＩ（自端末の識別情報）／ＤＩＳ（自端末の能力情報）をゲートウェイ装置ＧＷ２へ応答する。
【００６６】
ゲートウェイ装置ＧＷ２は、信号ＣＳＩ／ＤＩＳを受信すると、信号ＤＩＳに含まれる受信能力パラメータ（バイナリデータ）を認識し、コマンド「ＲＣＰＴＴＯ：＜ｆａｘ＝１２３４＠ｄｏｍａｉｎ＞」に対応して、ゲートウェイ装置ＧＷ１へ応答する応答信号「２５０」に、パラメータとして、認識した受信能力パラメータを通知するための「能力情報」を付加する。また、このときの「能力情報」は、受信パラメータをＭＩＭＥ変換して得た値である。
【００６７】
それにより、ゲートウェイ装置ＧＷ１は、信号ＣＳＩ（着側端末識別情報）／ＤＩＳ（ネットワークファクシミリ装置ＦＸの受信能力）をグループ３ファクシミリ装置ＧＸ１に送信する。
【００６８】
それにより、グループ３ファクシミリ装置ＧＸ１は、受信した信号ＤＩＳのパラメータと、送信する画情報の画像モードおよび利用可能なモデム速度に基づいて、そのときに使用する通信機能を設定し、信号ＴＳＩ（送信端末識別情報）／ＤＣＳ（能力通知）をゲートウェイ装置ＧＷ１へ送信し、信号ＤＣＳで設定したモデム速度でモデムトレーニングを行うために、信号ＴＣＦをゲートウェイ装置ＧＷ１へ送信する。
【００６９】
ゲートウェイ装置ＧＷ１は、信号ＴＳＩ／ＤＣＳを受信すると、信号ＤＣＳのパラメータを通知するために、コマンド「ＲＣＰＴ  ＴＯ：＜ｆａｘ＝１２３４＠ｄｏｍａｉｎ＞  能力情報」をゲートウェイ装置ＧＷ２へ送信する。ここで、パラメータ「能力情報」は、信号ＤＣＳのパラメータをＭＩＭＥ変換した値のものである。
【００７０】
ゲートウェイ装置ＧＷ２は、コマンド「ＲＣＰＴ  ＴＯ：＜ｆａｘ＝１２３４＠ｄｏｍａｉｎ＞  能力情報」を受信すると、パラメータ「能力情報」を解釈して、対応する信号ＴＳＩ／ＤＣＳを作成し、グループ３ファクシミリ装置ＧＸ２へ送信する。
【００７１】
次いで、ゲートウェイ装置ＧＷ２は、そのときのパラメータ「能力情報」で指定したモデム速度でモデムトレーニングするために信号ＴＣＦをグループ３ファクシミリ装置ＧＸ２へ送信する。
【００７２】
ここで、グループ３ファクシミリ装置ＧＸ２は、トレーニングに失敗した場合、信号ＦＴＴをゲートウェイ装置ＧＷ２へ送信する。
【００７３】
それにより、ゲートウェイ装置ＧＷ２は、コマンド「ＲＣＰＴ  ＴＯ：＜ｆａｘ＝１２３４＠ｄｏｍａｉｎ＞  能力情報」の応答として、応答信号「４５０  ＦＴＴ」をゲートウェイ装置ＧＷ１へ応答する。
【００７４】
したがって、ゲートウェイ装置ＧＷ１は、信号ＦＴＴをグループ３ファクシミリ装置ＧＸ１へ応答する。それにより、グループ３ファクシミリ装置ＧＸ１は、そのときに使用する通信機能を再設定し、信号ＴＳＩ／ＤＣＳをゲートウェイ装置ＧＷ１へ送信し、信号ＤＣＳで再設定したモデム速度でモデムトレーニングを行うために、信号ＴＣＦをゲートウェイ装置ＧＷ１へ送信する。
【００７５】
ゲートウェイ装置ＧＷ１は、信号ＴＳＩ／ＤＣＳを受信すると、信号ＤＣＳのパラメータを通知するために、コマンド「ＲＣＰＴ  ＴＯ：＜ｆａｘ＝１２３４＠ｄｏｍａｉｎ＞  能力情報」をゲートウェイ装置ＧＷ２へ送信する。
【００７６】
ゲートウェイ装置ＧＷ２は、コマンド「ＲＣＰＴ  ＴＯ：＜ｆａｘ＝１２３４＠ｄｏｍａｉｎ＞  能力情報」を受信すると、パラメータ「能力情報」を解釈して、対応する信号ＴＳＩ／ＤＣＳを作成し、グループ３ファクシミリ装置ＧＸ２へ送信する。
【００７７】
次いで、ゲートウェイ装置ＧＷ２は、そのときのパラメータ「能力情報」で指定したモデム速度でモデムトレーニングするために信号ＴＣＦをグループ３ファクシミリ装置ＧＸ２へ送信する。
【００７８】
ここで、グループ３ファクシミリ装置ＧＸ２は、トレーニングに成功した場合、信号ＣＦＲをゲートウェイ装置ＧＷ２へ送信する。
【００７９】
それにより、ゲートウェイ装置ＧＷ２は、信号「２５０  ＣＦＲ」をゲートウェイ装置ＧＷ１へ応答する。また、ゲートウェイ装置ＧＷ１は、信号ＣＦＲをグループ３ファクシミリ装置ＧＸ１へ送信する。
【００８０】
このようにして、使用する通信機能が設定されると、グループ３ファクシミリ装置ＧＸ１は、１ページ分の画情報ＰＩＸを送信し、送信を終了すると、メッセージ後信号として信号ＥＯＰを送信する。
【００８１】
また、ゲートウェイ装置ＧＷ１は、グループ３ファクシミリ装置ＧＸ１より受信した画情報ＰＩＸをＭＩＭＥ変換し、送信データＤＡＴＡとして、ゲートウェイ装置ＧＷ２へ送信し、メッセージ後信号を受信すると、データ転送の終了をあらわすデータ「．（ピリオド）」をゲートウェイ装置ＧＷ２へ送信する。
【００８２】
ゲートウェイ装置ＧＷ２は、ゲートウェイ装置ＧＷ１より受信した送信データＤＡＴＡを逆ＭＩＭＥ変換し、画情報ＰＩＸとしてグループ３ファクシミリ装置ＧＸ２へ送信する。また、データ転送の終了をあらわすデータ「．（ピリオド）」を受信すると、メッセージ後信号ＥＯＰをグループ３ファクシミリ装置ＧＸ２に送信する。
【００８３】
グループ３ファクシミリ装置ＧＸ２は、画情報ＰＩＸを正常に受信できた場合には、信号ＭＣＦをゲートウェイ装置ＧＷ２へ送信する。それにより、ゲートウェイ装置ＧＷ２は、信号「３５４」をゲートウェイ装置ＧＷ１へ送信する。それにより、ゲートウェイ装置ＧＷ１は、信号ＭＣＦをグループ３ファクシミリ装置ＧＸ１へ送信する。
【００８４】
これにより、画情報の送信を終了したので、グループ３ファクシミリ装置ＧＸ１は、信号ＤＣＮをゲートウェイ装置ＧＷ１へ送信して、回線を復旧する。また、ゲートウェイ装置ＧＷ１は、信号ＤＣＮを受信すると、ゲートウェイ装置ＧＷ２へコマンド「ＱＵＩＴ」を送信する。
【００８５】
それにより、ゲートウェイ装置ＧＷ２は、信号ＤＣＮをグループ３ファクシミリ装置ＧＸ２へ送信し、これにより、グループ３ファクシミリ装置ＧＸ２とゲートウェイ装置ＧＷ２との間の回線が復旧される。
【００８６】
また、ゲートウェイ装置ＧＷ２は、ゲートウェイ装置ＧＷ１へ信号「２２１」を送信し、一連の送信動作が終了する。
【００８７】
このようにして、ゲートウェイ装置ＧＷ１，ＧＷ２を介し、グループ３ファクシミリ装置ＧＸ１からグループ３ファクシミリ装置ＧＸ２へ画情報が送信される。
【００８８】
図８は、グループ３ファクシミリ装置ＧＸ１が、ゲートウェイ装置ＧＷ１を用いて、ネットワークファクシミリ装置ＦＸへ画情報を送信するときの動作（通信形態２）の一例を示している。この場合は、送信ページ数が１ページの場合である。
【００８９】
まず、グループ３ファクシミリ装置ＧＸ１は、ゲートウェイ装置ＧＷ１へ発呼し、ゲートウェイ装置ＧＷ１が着信応答すると、信号ＲＩＮＧを送出した後に、プッシュボタン信号を用いて、宛先情報を送信する。例えば、番号「０００１」の宛先情報を送信する場合、プッシュボタン信号の番号「０」、番号「０」、番号「０」、番号「１」を連続的にゲートウェイ装置ＧＷ１へ送信する。
【００９０】
一方、ゲートウェイ装置ＧＷ１は、アナログ公衆網ＰＳＴＮより発呼されると、着信応答し、信号ＲＩＮＧを受信するかどうかを待つ。そして、信号ＲＩＮＧを受信すると、グループ３ファクシミリ装置ＧＸ１よりプッシュボタン信号を受信し、その受信したプッシュボタン信号により運ばれた番号を認識する。なお、プッシュボタン信号の受信機能は、網制御装置３２に装備されている。
【００９１】
そして、アドレス変換テーブルを参照して、その認識にした番号に対応した電子メールアドレスを取得する。このとき、受信した番号が、アドレス変換テーブルに登録されていない場合には、このときの通信動作を行うことができないので、その時点でグループ３ファクシミリ装置ＧＸ１との回線を切断復旧する。
【００９２】
また、電子メールアドレスを適切に取得できた場合には、ゲートウェイ装置ＧＷは、ネットワークファクシミリ装置ＦＸを指定してＳＭＴＰポートオープンを要求する。これに対し、ネットワークファクシミリ装置ＦＸは、信号「２２０」をゲートウェイ装置ＧＷ１へ応答する。
【００９３】
次に、ゲートウェイ装置ＧＷ１は、ＥＳＭＴＰの開始コマンドであるコマンドＥＨＬＯをネットワークファクシミリ装置ＦＸへ送信する。ここで、このコマンドＥＨＬＯは、拡張Ｄ−ＳＭＴＰ方式通信機能の開始を指令するコマンドを兼用している。
【００９４】
コマンドＥＨＬＯを受信したネットワークファクシミリ装置ＦＸは、Ｄ−ＳＭＴＰ方式通信機能を備えている旨を通知する信号「２５０  ＣＯＮＮＥＧ」を、ゲートウェイ装置ＧＷ１へ応答する。また、それにより、ゲートウェイ装置ＧＷ１は、信号ＣＥＤをグループ３ファクシミリ装置ＧＸ１へ送出する。
【００９５】
また、これにより、ゲートウェイ装置ＧＷ１は、Ｄ−ＳＭＴＰ通信モードで通信動作を行う旨を決定する（通信形態２）。
【００９６】
これにより、ゲートウェイ装置ＧＷ１は、コマンド「ＭＡＩＬ  ＦＲＯＭ：＜自機メールアドレス＞」をネットワークファクシミリ装置ＦＸへ送信し、送信元のメールアドレスを通知する。ここで、ネットワークファクシミリ装置ＦＸは、受信したコマンド「ＭＡＩＬ  ＦＲＯＭ」のパラメータである「＜自機メールアドレス＞」を用いて、接続許可を判定することができる。
【００９７】
そして、ネットワークファクシミリ装置ＦＸは、そのときの電子メールの受付を許可できる場合には、信号「２５０」をゲートウェイ装置ＧＷ１へ応答する。
【００９８】
次に、ゲートウェイ装置ＧＷ１は、電子メールの宛先（この場合は、ネットワークファクシミリ装置ＦＸ）を指定するためのコマンド「ＲＣＰＴ  ＴＯ：＜相手メールアドレス（ネットワークファクシミリ装置ＦＸのメールアドレス）＞」をネットワークファクシミリ装置ＦＸへ送信する。
【００９９】
これにより、ネットワークファクシミリ装置ＦＸは、信号「２５０  能力情報」をゲートウェイ装置ＧＷ１に送信する。ここで、信号「２５０」に付加される「能力情報」の値は、ネットワークファクシミリ装置ＦＸが備えている受信能力を通知するためのものである。
【０１００】
それにより、ゲートウェイ装置ＧＷ１は、信号ＣＳＩ（着側端末識別情報）／ＤＩＳ（ネットワークファクシミリ装置ＦＸの受信能力）をグループ３ファクシミリ装置ＧＸに送信する。ここで、信号ＣＳＩのパラメータは、例えば、ネットワークファクシミリ装置ＦＸの識別情報（電子メールアドレス等）を用いることができる。
【０１０１】
それにより、グループ３ファクシミリ装置ＧＸ１は、受信した信号ＤＩＳのパラメータと、送信する画情報の画像モードおよび利用可能なモデム速度に基づいて、そのときに使用する通信機能を設定し、信号ＴＳＩ（送信端末識別情報）／ＤＣＳ（能力通知）をゲートウェイ装置ＧＷ１へ送信し、信号ＤＣＳで設定したモデム速度でモデムトレーニングを行うために、信号ＴＣＦをゲートウェイ装置ＧＷ１へ送信する。
【０１０２】
これにより、ゲートウェイ装置ＧＷ１は、そのときの受信結果が良好な場合には、信号ＣＦＲをグループ３ファクシミリ装置ＧＸ１へ応答して、画情報の受信準備が完了した旨を通知し、それにより、グループ３ファクシミリ装置ＧＸ１は、１ページ分の画情報ＰＩＸを順次ゲートウェイ装置ＧＷ１へ送信し、画情報ＰＩＸの送信を終了すると、メッセージ後信号として、信号ＥＯＰをゲートウェイ装置ＧＷ１へ送信する。
【０１０３】
ゲートウェイ装置ＧＷ１は、グループ３ファクシミリ装置ＧＸ１より画情報ＰＩＸを受信すると、その画情報ＰＩＸをＭＩＭＥ変換し、画情報データＤＡＴＡとして、ネットワークファクシミリ装置ＦＸへ順次送信する。また、メッセージ後信号の信号ＥＯＰをグループ３ファクシミリ装置ＧＸ１より受信すると、１ページ分の画情報の終了を通知するためにデータ「．（ピリオド）」をネットワークファクシミリ装置ＦＸへ送信する。
【０１０４】
これにより、ネットワークファクシミリ装置ＦＸは、信号「３５４」をゲートウェイ装置ＧＷ１へ応答し、それによって、ゲートウェイ装置ＧＷ１は、信号ＭＣＦをグループ３ファクシミリ装置ＧＸ１へ送信する。
【０１０５】
このようにして、画情報の送信を終了すると、グループ３ファクシミリ装置ＧＸ１は、信号ＤＣＮをゲートウェイ装置ＧＷ１へ送信して、ゲートウェイ装置ＧＷ１との間の回線を復旧する。
【０１０６】
また、ゲートウェイ装置ＧＷ１は、信号ＤＣＮを受信すると、コマンド「ＱＵＩＴ」をネットワークファクシミリ装置ＦＸへ送信し、それにより、ネットワークファクシミリ装置ＦＸへ送信は、信号「２２１」を応答し、これによって、ネットワークファクシミリ装置ＦＸとゲートウェイ装置ＧＷ１との間の通信が終了する。
【０１０７】
このようにして、本実施例では、グループ３ファクシミリ装置ＧＸ１からネットワークファクシミリ装置ＦＸに対して、画情報の送信が可能となる。また、プッシュボタン信号を用いて宛先のネットワークファクシミリ装置ＦＸを指定するようにしているので、宛先指定のための特別の装置を必要としない。
【０１０８】
図９は、グループ３ファクシミリ装置ＧＸ１が、ゲートウェイ装置ＧＷ１を用いて、ＳＭＴＰサーバ装置ＭＳへ画情報を送信するときの動作（通信形態３）の一例を示している。この場合は、送信ページ数が１ページの場合である。
【０１０９】
まず、グループ３ファクシミリ装置ＧＸ１は、ゲートウェイ装置ＧＷ１へ発呼し、ゲートウェイ装置ＧＷ１が着信応答すると、信号ＲＩＮＧを送出した後に、プッシュボタン信号を用いて、宛先情報を送信する。例えば、番号「０００１」の宛先情報を送信する場合、プッシュボタン信号の番号「０」、番号「０」、番号「０」、番号「１」を連続的にゲートウェイ装置ＧＷ１へ送信する。
【０１１０】
一方、ゲートウェイ装置ＧＷ１は、アナログ公衆網ＰＳＴＮより発呼されると、着信応答し、信号ＲＩＮＧを受信するかどうかを待つ。そして、信号ＲＩＮＧを受信すると、グループ３ファクシミリ装置ＧＸ１よりプッシュボタン信号を受信し、その受信したプッシュボタン信号により運ばれた番号を認識する。なお、プッシュボタン信号の受信機能は、網制御装置３２に装備されている。
【０１１１】
そして、アドレス変換テーブルを参照して、その認識にした番号に対応した電子メールアドレスを取得する。このとき、受信した番号が、アドレス変換テーブルに登録されていない場合には、このときの通信動作を行うことができないので、その時点でグループ３ファクシミリ装置ＧＸ１との回線を切断復旧する。
【０１１２】
また、電子メールアドレスを適切に取得できた場合には、ゲートウェイ装置ＧＷは、ＳＭＴＰサーバ装置ＭＳを指定してＳＭＴＰポートオープンを要求する。これに対し、ＳＭＴＰサーバ装置ＭＳは、信号「２２０」をゲートウェイ装置ＧＷ１へ応答する。
【０１１３】
次に、ゲートウェイ装置ＧＷ１は、ＥＳＭＴＰの開始コマンドであるコマンドＥＨＬＯをＳＭＴＰサーバ装置ＭＳへ送信する。ここで、このコマンドＥＨＬＯは、拡張Ｄ−ＳＭＴＰ方式通信機能の開始を指令するコマンドを兼用している。
【０１１４】
コマンドＥＨＬＯを受信したＳＭＴＰサーバ装置ＭＳは、ＥＳＭＴＰ方式通信機能を備えている旨を通知する信号「２５０」を、ゲートウェイ装置ＧＷ１へ応答する。また、それにより、ゲートウェイ装置ＧＷ１は、信号ＣＥＤをグループ３ファクシミリ装置ＧＸ１へ送出する。
【０１１５】
また、この場合には、ゲートウェイ装置ＧＷ１は、相手端末への通信動作をＴ．３７通信モードで行う旨を決定する（通信形態３）。
【０１１６】
これにより、ゲートウェイ装置ＧＷ１は、コマンド「ＭＡＩＬ  ＦＲＯＭ：＜自機メールアドレス＞」をＳＭＴＰサーバ装置ＭＳへ送信し、送信元のメールアドレスを通知する。ここで、ＳＭＴＰサーバ装置ＭＳは、受信したコマンド「ＭＡＩＬ  ＦＲＯＭ」のパラメータである「＜自機メールアドレス＞」を用いて、接続許可を判定することができる。
【０１１７】
そして、ＳＭＴＰサーバ装置ＭＳは、そのときの電子メールの受付を許可できる場合には、信号「２５０」をゲートウェイ装置ＧＷ１へ応答する。
【０１１８】
次に、ゲートウェイ装置ＧＷ１は、電子メールの宛先（この場合は、ＳＭＴＰサーバ装置ＭＳ）を指定するためのコマンド「ＲＣＰＴ  ＴＯ：＜相手メールアドレス＞」をＳＭＴＰサーバ装置ＭＳへ送信する。
【０１１９】
これにより、ＳＭＴＰサーバ装置ＭＳは、信号「２５０」をゲートウェイ装置ＧＷ１に送信する。
【０１２０】
それにより、ゲートウェイ装置ＧＷ１は、信号ＣＳＩ（着側端末識別情報）／ＤＩＳ（固定値）をグループ３ファクシミリ装置ＧＸに送信する。ここで、信号ＣＳＩのパラメータは、例えば、ＳＭＴＰサーバ装置ＭＳの識別情報（電子メールアドレス等）を用いることができる。また、信号ＤＩＳのパラメータは、勧告Ｔ．３７のＴＩＦＦ−ＦプロファイルＳで規定されている画像モードの情報がセットされる。すなわち、「白黒（二値）、Ａ４サイズ、普通字、ＭＨ圧縮」である。
【０１２１】
それにより、グループ３ファクシミリ装置ＧＸ１は、受信した信号ＤＩＳのパラメータと、送信する画情報の画像モードおよび利用可能なモデム速度に基づいて、そのときに使用する通信機能を設定し、信号ＴＳＩ（送信端末識別情報）／ＤＣＳ（能力通知）をゲートウェイ装置ＧＷ１へ送信し、信号ＤＣＳで設定したモデム速度でモデムトレーニングを行うために、信号ＴＣＦをゲートウェイ装置ＧＷ１へ送信する。
【０１２２】
これにより、ゲートウェイ装置ＧＷ１は、そのときの受信結果が良好な場合には、信号ＣＦＲをグループ３ファクシミリ装置ＧＸ１へ応答して、画情報の受信準備が完了した旨を通知し、それにより、グループ３ファクシミリ装置ＧＸ１は、１ページ分の画情報ＰＩＸを順次ゲートウェイ装置ＧＷ１へ送信し、画情報ＰＩＸの送信を終了すると、メッセージ後信号として、信号ＥＯＰをゲートウェイ装置ＧＷ１へ送信する。
【０１２３】
ゲートウェイ装置ＧＷ１は、グループ３ファクシミリ装置ＧＸ１より画情報ＰＩＸを受信すると、その画情報ＰＩＸをＭＩＭＥ変換し、画情報データＤＡＴＡとして、ＳＭＴＰサーバ装置ＭＳへ順次送信する。また、メッセージ後信号の信号ＥＯＰをグループ３ファクシミリ装置ＧＸ１より受信すると、１ページ分の画情報の終了を通知するためにデータ「．（ピリオド）」をＳＭＴＰサーバ装置ＭＳへ送信する。
【０１２４】
これにより、ＳＭＴＰサーバ装置ＭＳは、信号「３５４」をゲートウェイ装置ＧＷ１へ応答し、それによって、ゲートウェイ装置ＧＷ１は、信号ＭＣＦをグループ３ファクシミリ装置ＧＸ１へ送信する。
【０１２５】
このようにして、画情報の送信を終了すると、グループ３ファクシミリ装置ＧＸ１は、信号ＤＣＮをゲートウェイ装置ＧＷ１へ送信して、ゲートウェイ装置ＧＷ１との間の回線を復旧する。
【０１２６】
また、ゲートウェイ装置ＧＷ１は、信号ＤＣＮを受信すると、コマンド「ＱＵＩＴ」をＳＭＴＰサーバ装置ＭＳへ送信し、それにより、ＳＭＴＰサーバ装置ＭＳへ送信は、信号「２２１」を応答し、これによって、ＳＭＴＰサーバ装置ＭＳとゲートウェイ装置ＧＷ１との間の通信が終了する。
【０１２７】
このようにして、本実施例では、グループ３ファクシミリ装置ＧＸ１から指定された宛先へ、電子メールを用いて画情報の送信が可能となる。また、プッシュボタン信号を用いて宛先の番号（アドレス）を指定するようにしているので、宛先指定のための特別の装置を必要としない。
【０１２８】
図１０は、アナログ公衆網ＰＳＴＮより発呼された場合のゲートウェイ装置ＧＷの動作の一例を示している。この場合は、拡張Ｄ−ＳＭＴＰ方式ゲートウェイ機能による通信（通信形態１）と、Ｄ−ＳＭＴＰ通信を行う場合である。
【０１２９】
ゲートウェイ装置ＧＷは、網制御装置３２が着信検出すると、着信応答し（処理１０１）、信号ＲＩＮＧを受信し（処理１０２）、プッシュボタン信号により宛先番号を受信する（処理１０３）。
【０１３０】
次に、処理１０３で受信した宛先番号に対応した電子メールアドレスを、アドレス変換テーブルを参照して取得する（処理１０４）。このとき、受信した宛先番号が、アドレス変換テーブルに登録されているかどうかを調べ（判断１０５）、判断１０５の結果がＮＯになるときには、その時点でグループ３ファクシミリ装置ＧＸとの回線を切断復旧し（処理１０６）、エラー終了する。
【０１３１】
また、電子メールアドレスを適切に取得できた場合で判断１０５の結果がＹＥＳになるときには、ゲートウェイ装置ＧＷは、宛先の接続先を指定してＳＭＴＰポートオープンを要求する（処理１０７）。
【０１３２】
そして、接続先から肯定応答である信号「２２０」を受信するかどうかを調べ（判断１０８）、判断１０８の結果がＮＯになるときには、処理１０６へ移行し、その時点でグループ３ファクシミリ装置ＧＸとの回線を切断復旧して、エラー終了する。
【０１３３】
一方、判断１０８の結果がＹＥＳになるときには、ゲートウェイ装置ＧＷは、ＥＳＭＴＰの開始コマンドであるコマンドＥＨＬＯを接続先へ送信し（処理１０９）、接続先から、信号「２５０」を受信するかどうかを調べる（判断１１０）。ここで、判断１１０の結果がＮＯになるときには、拡張Ｄ−ＳＭＴＰ方式ゲートウェイ機能による通信動作、または、Ｄ−ＳＭＴＰ方式の通信動作を行えないので、処理１０６へ進み、その時点でグループ３ファクシミリ装置ＧＸとの回線を切断復旧して、エラー終了する。
【０１３４】
また、判断１１０の結果がＹＥＳになるときには、接続先より信号「２５０  ＣＯＮＮＥＧ」を受信したかどうかを調べる（判断１１１）。判断１１１の結果がＮＯになるときにも、拡張Ｄ−ＳＭＴＰ方式ゲートウェイ機能による通信動作、または、Ｄ−ＳＭＴＰ方式の通信動作を行えないので、処理１０６へ進み、その時点でグループ３ファクシミリ装置ＧＸとの回線を切断復旧して、エラー終了する。
【０１３５】
また、判断１１１の結果がＹＥＳになるときには、拡張Ｄ−ＳＭＴＰ方式通信機能をあらわす信号「２５０−ＦＡＸＧＷ」を受信したかどうかを調べる（判断１１２）。
【０１３６】
判断１１２の結果がＹＥＳになるときには、「ＲＣＰＴ  ＴＯ」への応答信号で取得した能力情報を信号ＤＩＳのフィールドにセットした状態で（処理１１３）、拡張Ｄ−ＳＭＴＰ方式ゲートウェイ機能による通信動作へと移行する。
【０１３７】
また、判断１１２の結果がＮＯになるときには、そのときに指定された宛先の電子メールアドレスが、「ｆａｘ＝（電話番号）＠ドメイン）」というＲＦＣ２３０４で規定されているファクシミリ番号の形式であるかどうかを調べる（判断１１４）。
【０１３８】
判断１１４の結果がＮＯになるときには、指定された宛先が最終宛先であるので、「ＲＣＰＴ  ＴＯ」への応答信号で取得した能力情報を信号ＤＩＳのフィールドにセットした状態で（処理１１５）、Ｄ−ＳＭＴＰ方式による通信動作へと移行する。
【０１３９】
また、判断１１４の結果がＹＥＳになるときには、処理１０６へ進み、その時点でグループ３ファクシミリ装置ＧＸとの回線を切断復旧して、エラー終了する。
【０１４０】
このようにして、この場合には、拡張Ｄ−ＳＭＴＰ方式ゲートウェイ機能による通信動作、または、Ｄ−ＳＭＴＰ方式の通信動作を行うことができる。
【０１４１】
図１１および図１２は、アナログ公衆網ＰＳＴＮより発呼された場合のゲートウェイ装置ＧＷの動作の他の例を示している。この場合は、相手端末の通信モードを判別して、それに合わせて自端末の通信モードを設定する場合である。
【０１４２】
ゲートウェイ装置ＧＷは、網制御装置３２が着信検出すると、着信応答し（処理２０１）、信号ＲＩＮＧを受信し（処理２０２）、プッシュボタン信号により宛先番号を受信する（処理２０３）。
【０１４３】
次に、処理２０３で受信した宛先番号に対応した電子メールアドレスを、アドレス変換テーブルを参照して取得する（処理２０４）。このとき、受信した宛先番号が、アドレス変換テーブルに登録されているかどうかを調べ（判断２０５）、判断２０５の結果がＮＯになるときには、その時点でグループ３ファクシミリ装置ＧＸとの回線を切断復旧し（処理２０６）、エラー終了する。
【０１４４】
また、電子メールアドレスを適切に取得できた場合で判断２０５の結果がＹＥＳになるときには、ゲートウェイ装置ＧＷは、宛先の接続先を指定してＳＭＴＰポートオープンを要求する（処理２０７）。
【０１４５】
そして、接続先から肯定応答である信号「２２０」を受信するかどうかを調べ（判断２０８）、判断２０８の結果がＮＯになるときには、処理２０６へ移行し、その時点でグループ３ファクシミリ装置ＧＸとの回線を切断復旧して、エラー終了する。
【０１４６】
一方、判断２０８の結果がＹＥＳになるときには、ゲートウェイ装置ＧＷは、ＥＳＭＴＰの開始コマンドであるコマンドＥＨＬＯを接続先へ送信し（処理２０９）、接続先から、信号「２５０」を受信するかどうかを調べる（判断２１０）。
【０１４７】
判断２１０の結果がＹＥＳになるときには、接続先より信号「２５０  ＣＯＮＮＥＧ」を受信したかどうかを調べる（判断２１１）。判断２１１の結果がＹＥＳになるときには、拡張Ｄ−ＳＭＴＰ方式通信機能をあらわす信号「２５０−ＦＡＸＧＷ」を受信したかどうかを調べる（判断２１２）。
【０１４８】
判断２１２の結果がＹＥＳになるときには、「ＲＣＰＴ  ＴＯ」への応答信号で取得した能力情報を信号ＤＩＳのフィールドにセットした状態で（処理２１３）、拡張Ｄ−ＳＭＴＰ方式ゲートウェイ機能による通信動作へと移行する。
【０１４９】
また、判断２１２の結果がＮＯになるときには、「ＲＣＰＴ  ＴＯ」への応答信号で取得した能力情報を信号ＤＩＳのフィールドにセットした状態で（処理２１４）、Ｄ−ＳＭＴＰ方式による通信動作へと移行する。
【０１５０】
また、判断２１１の結果がＮＯになるときには、Ｔ．３７通信動作を行うので、上述した内容の固定情報を信号ＤＩＳのフィールドにセットした状態で（処理２１５）、Ｔ．３７通信動作へと移行する。
【０１５１】
また、判断２１０の結果がＮＯになるときには、接続先がＥＳＭＴＰ通信機能を備えていないので、同じ接続先へＳＭＴＰのコマンド「ＨＥＬＯ」を送信し（処理２１６）、接続先から、信号「２５０」を受信するかどうかを調べる（判断２１７）。
【０１５２】
判断２１７の結果がＹＥＳになるときには、処理２１５へ移行し、Ｔ．３７通信処理を行う。
【０１５３】
また、判断２１７の結果がＮＯになるときには、処理２０６へ進み、その時点でグループ３ファクシミリ装置ＧＸとの回線を切断復旧して、エラー終了する。
【０１５４】
このようにして、この場合には、接続先の通信機能に応じた通信モードの通信動作を適切に行うことができる。
【０１５５】
ところで、ゲートウェイ装置ＧＷが、拡張Ｄ−ＳＭＴＰ方式ゲートウェイ機能以外の通信動作を行えるか否かを設定することもできる。例えば、管理者等がゲートウェイ装置ＧＷの通信機能を制限したい場合等に有効である。
【０１５６】
この場合は、図５（ｃ）に示すように、Ｄ−ＳＭＴＰ方式の通信動作を許すか否かを設定するＤ−ＳＭＴＰフラグ、および、Ｔ．３７通信機能の通信動作を許すか否かを設定するＴ．３７フラグを設ける。
【０１５７】
そして、ユーザがＤ−ＳＭＴＰ方式の通信動作を許可する旨を設定した場合には、Ｄ−ＳＭＴＰフラグの値に「オン（１）」を記憶し、ユーザがＤ−ＳＭＴＰ方式の通信動作を許可しない旨を設定した場合には、Ｄ−ＳＭＴＰフラグの値に「オフ（０）」を記憶する。また、ユーザがＴ．３７通信機能の通信動作を許可する旨を設定した場合には、Ｔ．３７フラグの値に「オン（１）」を記憶し、ユーザがＴ．３７通信機能の通信動作を許可しない旨を設定した場合には、Ｔ．３７フラグの値に「オフ（０）」を記憶する。
【０１５８】
図１３および図１４は、この場合において、アナログ公衆網ＰＳＴＮより発呼された場合のゲートウェイ装置ＧＷの動作の一例を示している。
【０１５９】
ゲートウェイ装置ＧＷは、網制御装置３２が着信検出すると、着信応答し（処理３０１）、信号ＲＩＮＧを受信し（処理３０２）、プッシュボタン信号により宛先番号を受信する（処理３０３）。
【０１６０】
次に、処理３０３で受信した宛先番号に対応した電子メールアドレスを、アドレス変換テーブルを参照して取得する（処理３０４）。このとき、受信した宛先番号が、アドレス変換テーブルに登録されているかどうかを調べ（判断３０５）、判断３０５の結果がＮＯになるときには、その時点でグループ３ファクシミリ装置ＧＸとの回線を切断復旧し（処理３０６）、エラー終了する。
【０１６１】
また、電子メールアドレスを適切に取得できた場合で判断３０５の結果がＹＥＳになるときには、ゲートウェイ装置ＧＷは、宛先の接続先を指定してＳＭＴＰポートオープンを要求する（処理３０７）。
【０１６２】
そして、接続先から肯定応答である信号「２３０」を受信するかどうかを調べ（判断３０８）、判断３０８の結果がＮＯになるときには、処理３０６へ移行し、その時点でグループ３ファクシミリ装置ＧＸとの回線を切断復旧して、エラー終了する。
【０１６３】
一方、判断３０８の結果がＹＥＳになるときには、ゲートウェイ装置ＧＷは、ＥＳＭＴＰの開始コマンドであるコマンドＥＨＬＯを接続先へ送信し（処理３０９）、接続先から、信号「２５０」を受信するかどうかを調べる（判断３１０）。
【０１６４】
判断３１０の結果がＹＥＳになるときには、接続先より信号「２５０  ＣＯＮＮＥＧ」を受信したかどうかを調べる（判断３１１）。判断３１１の結果がＹＥＳになるときには、拡張Ｄ−ＳＭＴＰ方式通信機能をあらわす信号「２５０−ＦＡＸＧＷ」を受信したかどうかを調べる（判断３１２）。
【０１６５】
判断３１２の結果がＹＥＳになるときには、「ＲＣＰＴ  ＴＯ」への応答信号で取得した能力情報を信号ＤＩＳのフィールドにセットした状態で（処理３１３）、拡張Ｄ−ＳＭＴＰ方式ゲートウェイ機能による通信動作へと移行する。
【０１６６】
また、判断３１２の結果がＮＯになるときには、ユーザ設定情報のＤ−ＳＭＴＰフラグの値を読み込み（処理３１４）、Ｄ−ＳＭＴＰ方式の通信動作が許可されているかどうかを調べる（判断３１５）。
【０１６７】
判断３１５の結果がＹＥＳになるときには、「ＲＣＰＴ  ＴＯ」への応答信号で取得した能力情報を信号ＤＩＳのフィールドにセットした状態で（処理３１６）、Ｄ−ＳＭＴＰ方式による通信動作へと移行する。また、判断３１５の結果がＮＯになるときには、処理３０６へ進み、その時点でグループ３ファクシミリ装置ＧＸとの回線を切断復旧して、エラー終了する。
【０１６８】
また、判断３１１の結果がＮＯになるときには、ユーザ設定情報のＴ．３７フラグの値を読み込み（処理３１７）、Ｔ．３７通信機能の通信動作が許可されているかどうかを調べる（判断３１８）。
【０１６９】
判断３１８の結果がＹＥＳになるときには、Ｔ．３７通信動作を行うので、上述した内容の固定情報を信号ＤＩＳのフィールドにセットした状態で（処理３１５）、Ｔ．３７通信動作へと移行する。また、判断３１８の結果がＮＯになるときには、処理３０６へ進み、その時点でグループ３ファクシミリ装置ＧＸとの回線を切断復旧して、エラー終了する。
【０１７０】
また、判断３１０の結果がＮＯになるときには、接続先がＥＳＭＴＰ通信機能を備えていないので、同じ接続先へＳＭＴＰのコマンド「ＨＥＬＯ」を送信し（処理３２０）、接続先から、信号「２５０」を受信するかどうかを調べる（判断３２１）。
【０１７１】
判断３２１の結果がＹＥＳになるときには、処理３１７へ移行し、Ｔ．３７通信機能の通信動作が許可されているかどうかを調べて、許可されている場合にはＴ．３７通信処理を行い、許可されていない場合には、エラー終了する。
【０１７２】
また、判断３２１の結果がＮＯになるときには、処理３０６へ進み、その時点でグループ３ファクシミリ装置ＧＸとの回線を切断復旧して、エラー終了する。
【０１７３】
このようにして、この場合には、ユーザの設定に応じて、接続先の通信機能に対応した通信モードの通信動作を適切に行うことができる。
【０１７４】
図１５および図１６は、この場合の、アナログ公衆網ＰＳＴＮより発呼された場合のゲートウェイ装置ＧＷの動作の他の例を示している。
【０１７５】
ゲートウェイ装置ＧＷは、網制御装置３２が着信検出すると、着信応答し（処理４０１）、信号ＲＩＮＧを受信し（処理４０２）、プッシュボタン信号により宛先番号を受信する（処理４０３）。
【０１７６】
次に、処理４０３で受信した宛先番号に対応した電子メールアドレスを、アドレス変換テーブルを参照して取得する（処理４０４）。このとき、受信した宛先番号が、アドレス変換テーブルに登録されているかどうかを調べ（判断４０５）、判断４０５の結果がＮＯになるときには、その時点でグループ３ファクシミリ装置ＧＸとの回線を切断復旧し（処理４０６）、エラー終了する。
【０１７７】
また、電子メールアドレスを適切に取得できた場合で判断４０５の結果がＹＥＳになるときには、ゲートウェイ装置ＧＷは、宛先の接続先を指定してＳＭＴＰポートオープンを要求する（処理４０７）。
【０１７８】
そして、接続先から肯定応答である信号「２４０」を受信するかどうかを調べ（判断４０８）、判断４０８の結果がＮＯになるときには、処理４０６へ移行し、その時点でグループ３ファクシミリ装置ＧＸとの回線を切断復旧して、エラー終了する。
【０１７９】
一方、判断４０８の結果がＹＥＳになるときには、ゲートウェイ装置ＧＷは、ＥＳＭＴＰの開始コマンドであるコマンドＥＨＬＯを接続先へ送信し（処理４０９）、接続先から、信号「２５０」を受信するかどうかを調べる（判断４１０）。
【０１８０】
判断４１０の結果がＹＥＳになるときには、接続先より信号「２５０  ＣＯＮＮＥＧ」を受信したかどうかを調べる（判断４１１）。判断４１１の結果がＹＥＳになるときには、拡張Ｄ−ＳＭＴＰ方式通信機能をあらわす信号「２５０−ＦＡＸＧＷ」を受信したかどうかを調べる（判断４１２）。
【０１８１】
判断４１２の結果がＹＥＳになるときには、「ＲＣＰＴ  ＴＯ」への応答信号で取得した能力情報を信号ＤＩＳのフィールドにセットした状態で（処理４１３）、拡張Ｄ−ＳＭＴＰ方式ゲートウェイ機能による通信動作へと移行する。
【０１８２】
また、判断４１２の結果がＮＯになるときには、ユーザ設定情報のＤ−ＳＭＴＰフラグの値を読み込み（処理４１４）、Ｄ−ＳＭＴＰ方式の通信動作が許可されているかどうかを調べる（判断４１５）。
【０１８３】
判断４１５の結果がＹＥＳになるときには、「ＲＣＰＴ  ＴＯ」への応答信号で取得した能力情報を信号ＤＩＳのフィールドにセットした状態で（処理４１６）、さらに、発側ファクシミリ装置の電話番号を保存した状態で（処理４１７）、Ｄ−ＳＭＴＰ方式による通信動作を行う（処理４１８）。
【０１８４】
そして、画情報送信を終了すると、そのときの通信結果をあらわすレポートを作成し、そのレポートを画情報へ変換し、処理４１７で保存した電話番号へ発呼し、その変換して得た画情報を送信して、発側ファクシミリ装置へ送信結果を通知する（処理４１９）。
【０１８５】
また、判断４１５の結果がＮＯになるときには、処理４０６へ進み、その時点でグループ３ファクシミリ装置ＧＸとの回線を切断復旧して、エラー終了する。
【０１８６】
また、判断４１１の結果がＮＯになるときには、ユーザ設定情報のＴ．３７フラグの値を読み込み（処理４２０）、Ｔ．３７通信機能の通信動作が許可されているかどうかを調べる（判断４２１）。
【０１８７】
判断４２１の結果がＹＥＳになるときには、Ｔ．３７通信動作を行うので、上述した内容の固定情報を信号ＤＩＳのフィールドにセットした状態で（処理４２２）、さらに、発側ファクシミリ装置の電話番号を保存した状態で（処理４２３）、Ｔ．３７通信機能による通信動作を行う（処理４２４）。
【０１８８】
そして、画情報送信を終了すると、そのときの通信結果をあらわすレポートを作成し、そのレポートを画情報へ変換し、処理４２３で保存した電話番号へ発呼し、その変換して得た画情報を送信して、発側ファクシミリ装置へ送信結果を通知する（処理４２５）。また、判断４２１の結果がＮＯになるときには、処理４０６へ進み、その時点でグループ３ファクシミリ装置ＧＸとの回線を切断復旧して、エラー終了する。
【０１８９】
また、判断４１０の結果がＮＯになるときには、接続先がＥＳＭＴＰ通信機能を備えていないので、同じ接続先へＳＭＴＰのコマンド「ＨＥＬＯ」を送信し（処理４２６）、接続先から、信号「２５０」を受信するかどうかを調べる（判断４２７）。
【０１９０】
判断４２７の結果がＹＥＳになるときには、処理４２０へ移行し、Ｔ．３７通信機能の通信動作が許可されているかどうかを調べて、許可されている場合にはＴ．３７通信処理を行い、許可されていない場合には、エラー終了する。
【０１９１】
また、判断４２７の結果がＮＯになるときには、処理４０６へ進み、その時点でグループ３ファクシミリ装置ＧＸとの回線を切断復旧して、エラー終了する。
【０１９２】
このようにして、この場合には、ユーザの設定に応じて、接続先の通信機能に対応した通信モードの通信動作を適切に行うことができる。また、通信結果を発側ファクシミリ装置へ通知するようにしているので、発側ユーザへ、通信結果を適切に通知することができる。
【０１９３】
また、上述した実施例では、送信結果の通知を、画情報を送信することで行っているが、管理者ユーザへ電子メールを用いて通知することもできる。その場合には、図５（ｄ）に示すように、管理者ユーザの電子メールアドレス（管理者メールアドレス）を、あらかじめ登録しておく。
【０１９４】
図１５および図１６は、この場合の、アナログ公衆網ＰＳＴＮより発呼された場合のゲートウェイ装置ＧＷの動作の一例を示している。
【０１９５】
ゲートウェイ装置ＧＷは、網制御装置３２が着信検出すると、着信応答し（処理５０１）、信号ＲＩＮＧを受信し（処理５０２）、プッシュボタン信号により宛先番号を受信する（処理５０３）。
【０１９６】
次に、処理５０３で受信した宛先番号に対応した電子メールアドレスを、アドレス変換テーブルを参照して取得する（処理５０４）。このとき、受信した宛先番号が、アドレス変換テーブルに登録されているかどうかを調べ（判断５０５）、判断５０５の結果がＮＯになるときには、その時点でグループ３ファクシミリ装置ＧＸとの回線を切断復旧し（処理５０６）、エラー終了する。
【０１９７】
また、電子メールアドレスを適切に取得できた場合で判断５０５の結果がＹＥＳになるときには、ゲートウェイ装置ＧＷは、宛先の接続先を指定してＳＭＴＰポートオープンを要求する（処理５０７）。
【０１９８】
そして、接続先から肯定応答である信号「２５０」を受信するかどうかを調べ（判断５０８）、判断５０８の結果がＮＯになるときには、処理５０６へ移行し、その時点でグループ３ファクシミリ装置ＧＸとの回線を切断復旧して、エラー終了する。
【０１９９】
一方、判断５０８の結果がＹＥＳになるときには、ゲートウェイ装置ＧＷは、ＥＳＭＴＰの開始コマンドであるコマンドＥＨＬＯを接続先へ送信し（処理５０９）、接続先から、信号「２５０」を受信するかどうかを調べる（判断５１０）。
【０２００】
判断５１０の結果がＹＥＳになるときには、接続先より信号「２５０  ＣＯＮＮＥＧ」を受信したかどうかを調べる（判断５１１）。判断５１１の結果がＹＥＳになるときには、拡張Ｄ−ＳＭＴＰ方式通信機能をあらわす信号「２５０−ＦＡＸＧＷ」を受信したかどうかを調べる（判断５１２）。
【０２０１】
判断５１２の結果がＹＥＳになるときには、「ＲＣＰＴ  ＴＯ」への応答信号で取得した能力情報を信号ＤＩＳのフィールドにセットした状態で（処理５１３）、拡張Ｄ−ＳＭＴＰ方式ゲートウェイ機能による通信動作へと移行する。
【０２０２】
また、判断５１２の結果がＮＯになるときには、ユーザ設定情報のＤ−ＳＭＴＰフラグの値を読み込み（処理５１４）、Ｄ−ＳＭＴＰ方式の通信動作が許可されているかどうかを調べる（判断５１５）。
【０２０３】
判断５１５の結果がＹＥＳになるときには、「ＲＣＰＴ  ＴＯ」への応答信号で取得した能力情報を信号ＤＩＳのフィールドにセットした状態で（処理５１６）、Ｄ−ＳＭＴＰ方式による通信動作を行う（処理５１７）。
【０２０４】
そして、画情報送信を終了すると、管理者メールアドレスを取得し（処理５１８）、そのときの通信結果をあらわすレポートを作成し、そのレポートを、電子メールを用いて、処理５１８で取得した管理者メールアドレスへ送信し、管理者ユーザへ送信結果を通知する（処理５１９）。
【０２０５】
また、判断５１５の結果がＮＯになるときには、処理５０６へ進み、その時点でグループ３ファクシミリ装置ＧＸとの回線を切断復旧して、エラー終了する。
【０２０６】
また、判断５１１の結果がＮＯになるときには、ユーザ設定情報のＴ．３７フラグの値を読み込み（処理５２０）、Ｔ．３７通信機能の通信動作が許可されているかどうかを調べる（判断５２１）。
【０２０７】
判断５２１の結果がＹＥＳになるときには、Ｔ．３７通信動作を行うので、上述した内容の固定情報を信号ＤＩＳのフィールドにセットした状態で（処理５２２）、Ｔ．３７通信機能による通信動作を行う（処理５２３）。
【０２０８】
そして、画情報送信を終了すると、管理者メールアドレスを取得し（処理５２４）、そのときの通信結果をあらわすレポートを作成し、そのレポートを、電子メールを用いて、処理５２４で取得した管理者メールアドレスへ送信し、管理者ユーザへ送信結果を通知する（処理５２５）。
【０２０９】
また、判断５２１の結果がＮＯになるときには、処理５０６へ進み、その時点でグループ３ファクシミリ装置ＧＸとの回線を切断復旧して、エラー終了する。
【０２１０】
また、判断５１０の結果がＮＯになるときには、接続先がＥＳＭＴＰ通信機能を備えていないので、同じ接続先へＳＭＴＰのコマンド「ＨＥＬＯ」を送信し（処理５２６）、接続先から、信号「２５０」を受信するかどうかを調べる（判断５２７）。
【０２１１】
判断５２７の結果がＹＥＳになるときには、処理５２０へ移行し、Ｔ．３７通信機能の通信動作が許可されているかどうかを調べて、許可されている場合にはＴ．３７通信処理を行い、許可されていない場合には、エラー終了する。
【０２１２】
また、判断５２７の結果がＮＯになるときには、処理５０６へ進み、その時点でグループ３ファクシミリ装置ＧＸとの回線を切断復旧して、エラー終了する。
【０２１３】
このようにして、この場合には、ユーザの設定に応じて、接続先の通信機能に対応した通信モードの通信動作を適切に行うことができる。また、通信結果を電子メールを用いて管理者ユーザへ通知するようにしているので、管理者ユーザへ、通信結果を適切に通知することができる。
【０２１４】
ところで、本発明は、図１に示したような通信システムのみならず、例えば、図１９に示したような通信システムについても同様にして適用される。
【０２１５】
すなわち、この場合の通信システムにおいては、インターネットＩＮＥＴには、ネットワークファクシミリ装置ＦＸが接続されており、アナログ公衆網ＰＳＴＮには、グループ３ファクシミリ装置ＧＸが接続されている。ゲートウェイ装置ＧＷは、インターネットＩＮＥＴのネットワークファクシミリ装置ＦＸと、アナログ公衆網ＰＳＴＮのグループ３ファクシミリ装置ＧＸとの間を接続して、相互通信を可能にする機能を備えている。なお、インターネットＩＮＥＴは、ＩＰ網として機能する広域ネットワークである。
【０２１６】
また、ネットワークファクシミリ装置ＦＸは、ファクシミリ画情報の作成および記録出力等のファクシミリ装置機能、電子メールを用いてファクシミリ画情報をやりとりするためのＴ．３７通信機能、Ｄ−ＳＭＴＰ方式の通信機能、および、ゲートウェイ装置ＧＷを介して、アナログ公衆網ＰＳＴＮのグループ３ファクシミリ装置ＧＸとの間でファクシミリ通信を行う拡張Ｄ−ＳＭＴＰ方式の通信機能を備えている。
【０２１７】
また、グループ３ファクシミリ装置ＧＸは、通常のグループ３ファクシミリ通信機能と、ゲートウェイ装置ＧＷを用いてネットワークファクシミリ装置ＦＸへ発呼する際には、宛先となるネットワークファクシミリ装置ＦＸを指定する宛先情報をゲートウェイ装置ＧＷへ通知する宛先通知機能を備えている。
【０２１８】
ゲートウェイ装置ＧＷは、電子メールを用いてファクシミリ画情報をやりとりするためのＴ．３７通信機能、Ｄ−ＳＭＴＰ方式の通信機能、および、アナログ公衆網ＰＳＴＮのグループ３ファクシミリ装置ＧＸとの間でファクシミリ通信を行う拡張Ｄ−ＳＭＴＰ方式に対応したゲートウェイ機能を備えている。
【０２１９】
そして、本実施例におけるゲートウェイ装置ＧＷについて、上述した実施例と同じ通信機能を実現することができる。
【０２２０】
また、上述した実施例では、ファクシミリ装置として、アナログ公衆回線網ＰＳＴＮを用いるグループ３ファクシミリ装置を適用しているが、デジタル公衆回線網ＩＳＤＮを用いるグループ３／４ファクシミリ装置を適用した場合についても、本発明を同様にして適用することができる。その場合、宛先番号を指定する情報としては、呼設定用メッセージに含まれる適宜な情報要素、例えば、呼設定メッセージの着サブアドレス情報要素等を適用することができる。
【０２２１】
なお、本発明は、上述した通信システム以外の同等の通信システムについても同様にして適用することができる。
【０２２２】
【発明の効果】
以上説明したように、本発明によれば、ＩＰ網に接続するＩＰ網接続手段と、公衆網に接続する公衆網接続手段を備えたネットワークゲートウェイ装置を備え、ＩＰ網に接続されたネットワークファクシミリ装置と、公衆網に接続されたファクシミリ装置との間のファクシミリ通信をリアルタイム的に行うようにしたので、ＩＰ網に接続されているネットワークファクシミリ装置と、公衆網に接続されているＧ３／Ｇ４ファクシミリ装置との間の通信を適切に行うことができるという効果を得る。
【０２２３】
また、ゲートウェイ装置は、指定された相手端末の通信モードにあった通信モードで、通信動作を適切に行うことができるという効果も得る。
【０２２４】
また、ゲートウェイ装置は、あらかじめ指定された通信モード以外の通信モードでの通信動作を行わないので、役割分担を明確にすることができ、適切なシステム構成を実現できるという効果も得る。
【図面の簡単な説明】
【図１】本発明の一実施例にかかる通信システムを示したブロック図。
【図２】本発明の一実施例にかかるグループ３ファクシミリ装置ＧＸ（ＧＸ１，ＧＸ２）の構成の一例を示したブロック図。
【図３】ゲートウェイ装置ＧＷ（ＧＷ１，ＧＷ２）の構成例を示したブロック図。
【図４】ネットワークファクシミリ装置ＦＸの構成の一例を示したブロック図。
【図５】アドレス変換テーブル等の一例を示した概略図。
【図６】ゲートウェイ装置ＧＷ１，ＧＷ２を用いて、グループ３ファクシミリ装置ＧＸ１からグループ３ファクシミリ装置ＧＸ２へ画情報を送信するときの動作（通信形態１）の一例を示したタイムチャート。
【図７】ゲートウェイ装置ＧＷ１，ＧＷ２を用いて、グループ３ファクシミリ装置ＧＸ１からグループ３ファクシミリ装置ＧＸ２へ画情報を送信するときの動作（通信形態１）の一例を示したタイムチャート（続き）。
【図８】グループ３ファクシミリ装置ＧＸ１が、ゲートウェイ装置ＧＷ１を用いて、ネットワークファクシミリ装置ＦＸへ画情報を送信するときの動作（通信形態２）の一例を示したタイムチャート。
【図９】グループ３ファクシミリ装置ＧＸ１が、ゲートウェイ装置ＧＷ１を用いて、ＳＭＴＰサーバ装置ＭＳへ画情報を送信するときの動作（通信形態３）の一例を示したタイムチャート。
【図１０】アナログ公衆網ＰＳＴＮより発呼された場合のゲートウェイ装置ＧＷの動作の一例を示したフローチャート。
【図１１】アナログ公衆網ＰＳＴＮより発呼された場合のゲートウェイ装置ＧＷの動作の他の例を示したフローチャート。
【図１２】アナログ公衆網ＰＳＴＮより発呼された場合のゲートウェイ装置ＧＷの動作の他の例を示したフローチャート（続き）。
【図１３】アナログ公衆網ＰＳＴＮより発呼された場合のゲートウェイ装置ＧＷの動作のさらに他の例を示したフローチャート。
【図１４】アナログ公衆網ＰＳＴＮより発呼された場合のゲートウェイ装置ＧＷの動作のさらに他の例を示したフローチャート（続き）。
【図１５】アナログ公衆網ＰＳＴＮより発呼された場合のゲートウェイ装置ＧＷの動作のまたさらに他の例を示したフローチャート。
【図１６】アナログ公衆網ＰＳＴＮより発呼された場合のゲートウェイ装置ＧＷの動作のまたさらに他の例を示したフローチャート（続き）。
【図１７】アナログ公衆網ＰＳＴＮより発呼された場合のゲートウェイ装置ＧＷの動作の別の例を示したフローチャート。
【図１８】アナログ公衆網ＰＳＴＮより発呼された場合のゲートウェイ装置ＧＷの動作の別の例を示したフローチャート（続き）。
【図１９】本発明の他の実施例にかかる通信システムを示したブロック図。
【符号の説明】
ＦＸ  ネットワークファクシミリ装置
ＧＷ，ＧＷ１，ＧＷ２  ゲートウェイ装置
ＧＸ，ＧＸ１，ＧＸ２  グループ３ファクシミリ装置
【図１】
2004172938.tif 000003
【図２】
2004172938.tif 000004
【図３】
2004172938.tif 000005
【図４】
2004172938.tif 000006
【図５】
2004172938.tif 000007
【図６】
2004172938.tif 000008
【図７】
2004172938.tif 000009
【図８】
2004172938.tif 000010
【図９】
2004172938.tif 000011
【図１０】
2004172938.tif 000012
【図１１】
2004172938.tif 000013
【図１２】
2004172938.tif 000014
【図１３】
2004172938.tif 000015
【図１４】
2004172938.tif 000016
【図１５】
2004172938.tif 000017
【図１６】
2004172938.tif 000018
【図１７】
2004172938.tif 000019
【図１８】
2004172938.tif 000020
【図１９】
2004172938.tif 000021